(57)【要約】      （修正有）【課題】火災等によって加熱された場合にも貫通孔の発生を防止することができる投入口装置を提供する。【解決手段】投入口装置は、ドアパネル１４に貫通形成された開口部１４ａを覆うように取り付けられ、且つ開口部１４ａに連通する位置に投入口２０ａを有する投入口部材２０と、投入口部材２０の投入口２０ａを開閉する蓋体２２とを備え、蓋体２２が開いた場合に投入口２０ａを介してドアパネル１４の一面側から他面側への物品の投入を許容する装置であって、常温時には開口部１４ａから退避した位置に維持される一方、高温状態となった場合には進出移動して開口部１４ａを閉塞する可動カバー材４０を備える。【選択図】図４
2015217173.tif 000002
【特許請求の範囲】
【請求項１】
パネル部材に貫通形成された開口部を覆うように取り付けられ、且つ前記開口部に連通する位置に投入口を有する投入口部材と、該投入口部材の投入口を開閉する蓋体とを備え、前記蓋体が開いた場合に前記投入口を介して前記パネル部材の一面側から他面側への物品の投入を許容する投入口装置であって、
前記パネル部材の開口部に対して進出可能となる状態で該パネル部材に配設され、常温時には前記開口部から退避した位置に維持される一方、高温状態となった場合には進出移動して前記開口部を閉塞する可動カバー材を備えることを特徴とする投入口装置。
【請求項２】
請求項１に記載の投入口装置において、
前記可動カバー材には、加熱されると膨張して前記開口部を塞ぐ熱膨張性部材が設けられていることを特徴とする投入口装置。
【請求項３】
請求項１又は２に記載の投入口装置において、
前記可動カバー材は、常温時には前記開口部の上方位置で前記パネル部材に対して接着剤を用いて固定されており、
高温時には前記接着剤が軟化することで落下して前記開口部を閉塞することを特徴とする投入口装置。
【請求項４】
請求項３に記載の投入口装置において、
前記パネル部材は、一面側及び他面側に設けられたパネル材の間に接着剤を用いて芯材を固定したドアパネルであり、
前記投入口部材は、前記一面側のパネル材に取り付けられ、
前記可動カバー材は、前記他面側のパネル材の内面に沿って設けられ、落下した場合に前記ドアパネルの他面側で前記開口部を閉塞するプレート部を有することを特徴とする投入口装置。
【請求項５】
請求項４に記載の投入口装置において、
前記可動カバー材は、前記一面側のパネル材の内面に沿って設けられる支持部を有することを特徴とする投入口装置。
【発明の詳細な説明】
【技術分野】
【０００１】
本発明は、例えば玄関ドアに取り付けられ、郵便物や新聞等の物品の投入用として使用される投入口装置に関する。
【背景技術】
【０００２】
戸建住宅や集合住宅等の玄関ドアには、郵便物や新聞等の物品を室外側から投入し、投入された物品を室内側から受取る投入口装置が設けられることがある。投入口装置としては、ドアパネルに貫通形成された開口部の室外側外面に、内開きの蓋体によって開閉可能な投入口を有する投入口部材を取り付けた構成が一般的である（例えば、特許文献１参照）。
【０００３】
このような玄関ドアが火災による火炎に晒された場合、加熱によって蓋体を閉塞位置に付勢するばね部材の付勢力が弱くなると、火炎による圧力で蓋体が開く可能性がある。そうすると、投入口装置及びドアパネルの開口部が貫通孔となり、火炎の通り道となる懸念がある。特に、２枚の鋼板の間に芯材を接着剤によって固定した構成からなる玄関ドアの場合には、接着剤が加熱されて可燃性ガスを発生することがあり、貫通孔の発生を防止することが一層重要となる。
【０００４】
そこで、特許文献１の構成では、加熱されると膨張する熱膨張性部材を投入口の内側周囲に配設している。これにより、火災時に加熱されて膨張した熱膨張性部材によって蓋体を室内側から押さえることができ、貫通孔の形成を防止することができる、としている。
【先行技術文献】
【特許文献】
【０００５】
【特許文献１】特開２０１４−３４８４３号公報
【発明の概要】
【発明が解決しようとする課題】
【０００６】
ところが、上記特許文献１の構成では、熱膨張性部材の膨張状況によっては蓋体を十分に押さえ付けておくことが難しい場合もある。特に、特許文献１にも記載されているように、一般的な投入口装置では、郵便物等の投入を円滑に行うため或いは指の挟み込みを回避するため、ドアパネルの開口部の底面を傾斜面としている。そのため、膨張した熱膨張性部材が傾斜面に沿って下方へと流れ落ち、蓋体を安定して押さえ付けることが難しいという問題もある。
【０００７】
本発明は、上記従来技術の課題を考慮してなされたものであり、火災等によって加熱された場合にも貫通孔の発生を防止することができる投入口装置を提供することを目的とする。
【課題を解決するための手段】
【０００８】
本発明に係る投入口装置は、パネル部材に貫通形成された開口部を覆うように取り付けられ、且つ前記開口部に連通する位置に投入口を有する投入口部材と、該投入口部材の投入口を開閉する蓋体とを備え、前記蓋体が開いた場合に前記投入口を介して前記パネル部材の一面側から他面側への物品の投入を許容する投入口装置であって、前記パネル部材の開口部に対して進出可能となる状態で該パネル部材に配設され、常温時には前記開口部から退避した位置に維持される一方、高温状態となった場合には進出移動して前記開口部を閉塞する可動カバー材を備えることを特徴とする。
【０００９】
このような構成によれば、火災等によって加熱されて高温状態となった場合に、可動カバー材が開口部に進出してこれを閉塞する。従って、火災の影響で蓋体が開いてしまった場合であっても、可動カバー材によって開口部を閉塞することができる。このため、投入口装置が火災時に火炎の貫通孔となることを防止できる。
【００１０】
本発明に係る投入口部材において、前記可動カバー材には、加熱されると膨張して前記開口部を塞ぐ熱膨張性部材が設けられているとよい。そうすると、火災等で加熱された際、可動カバー材が開口部を閉塞し、その後、熱膨張性部材が膨張して開口部に充填されるため、火炎の貫通を一層確実に防止できる。
【００１１】
本発明に係る投入口部材において、前記可動カバー材は、常温時には前記開口部の上方位置で前記パネル部材に対して接着剤を用いて固定されており、高温時には前記接着剤が軟化することで落下して前記開口部を閉塞する構成としてもよい。そうすると、低コストで簡素な構成ながらも可動カバー材を常温時には退避位置に確実に保持しておき、火災時には進出位置へと円滑に動作させることが可能となる。
【００１２】
本発明に係る投入口部材において、前記パネル部材は、一面側及び他面側に設けられたパネル材の間に接着剤を用いて芯材を固定したドアパネルであり、前記投入口部材は、前記一面側のパネル材に取り付けられ、前記可動カバー材は、前記他面側のパネル材の内面に沿って設けられ、落下した場合に前記ドアパネルの他面側で前記開口部を閉塞するプレート部を有する構成としてもよい。そうすると、芯材を保持する接着剤が気化して開口部内に充満した可燃性ガスがドアパネルの室内側へと流入することをプレート部によって防止できる。
【００１３】
本発明に係る投入口部材において、前記可動カバー材は、前記一面側のパネル材の内面に沿って設けられる支持部を有すると、常温時の開口部からの退避位置や高温時の進出位置にある可動カバー材のがたつきを防止できる。
【発明の効果】
【００１４】
本発明によれば、火災時に蓋体が開いてしまった場合であっても、可動カバー材によって開口部を閉塞することができる。このため、投入口装置が火炎の貫通孔となることを防止できる。
【図面の簡単な説明】
【００１５】
【図１】図１は、本発明の一実施形態に係る投入口装置を備えた建具の正面図である。
【図２】図２は、図１に示す建具の背面図である。
【図３】図３は、図１に示す建具の投入口装置付近での縦断面図である。
【図４】図４は、図３に示す投入口装置が火災で加熱されて高温状態となった場合の状態を示す縦断面図である。
【図５】図５は、図１に示す建具の投入口装置付近での横断面図である。
【図６】図６は、図１に示す建具の投入口装置付近の分解斜視図である。
【図７】図７は、可動カバー材の斜視図である。
【発明を実施するための形態】
【００１６】
以下、本発明に係る投入口装置について好適な実施の形態を挙げ、添付の図面を参照しながら詳細に説明する。
【００１７】
図１は、本発明の一実施形態に係る投入口装置１０を備えた建具１２の正面図であり、建具１２を室外側から見た図である。図２は、図１に示す建具１２の背面図であり、建具１２を室内側から見た図である。本実施形態では、玄関ドアである建具１２のドアパネル（パネル部材）１４の郵便受けとして投入口装置１０を用いた構成例を説明する。投入口装置１０は、ドアパネル以外、例えば集合住宅の共用玄関に設けられる集合郵便受けのように建物の内外を仕切る壁部材（パネル部材）に設けることもできる。
【００１８】
図１及び図２に示すように、建具１２は、建物の躯体開口部の内側に支持される枠体１６と、枠体１６の内側に蝶番１８を介して開閉可能に取り付けられたドアパネル１４とを備える。
【００１９】
投入口装置１０は、ドアパネル１４の中央やや下部に形成された開口部１４ａ（図３参照）に取り付けられている。投入口装置１０は、ドアパネル１４の室外側に設けられた長方形状の金属板である投入口部材２０と、投入口部材２０に形成された投入口２０ａを内側から開閉する蓋体２２と、ドアパネル１４の室内側に設けられた受け箱２４とを備える。
【００２０】
図３は、図１に示す建具１２の投入口装置１０付近での縦断面図であり、図４は、図３に示す投入口装置１０が火災で加熱されて高温状態となった場合の状態を示す縦断面図である。図５は、図１に示す建具１２の投入口装置１０付近での横断面図である。また、図６は、図１に示す建具１２の投入口装置１０付近の分解斜視図である。
【００２１】
図３及び図５に示すように、ドアパネル１４は、室外側及び室内側に設けられたパネル材２６，２７の間に芯材２８を保持した構造である。パネル材２６，２７は、例えば亜鉛めっき鋼板等の金属板で構成される。芯材２８は、例えばハニカム構造体や発泡スチロールまたは発泡ウレタン等の断熱材で構成される。ドアパネル１４は、２枚のパネル材２６，２７間に芯材２８を挟持すると共に接着剤３０で接着固定し、四周端部を金属製の外周補強材で囲んだ構成である。
【００２２】
開口部１４ａは、ドアパネル１４を室外側のパネル材２６から芯材２８を経て室内側のパネル材２７まで貫通した横長長方形状の孔部である。従って、図３に示すように各パネル材２６，２７には開口部１４ａを画成する孔部２６ａ，２７ａが開口形成されている。
【００２３】
図３〜図６に示すように、開口部１４ａは、その内周が上補強材３２、下補強材３４及び左右の縦補強材３６によって覆われている。上補強材３２及び縦補強材３６は、断面コの字状に形成されたスチール等の金属製の形材である。下補強材３４は、開口部１４ａの室外側から室内側に向かって漸次下方に傾斜した傾斜面３４ａを有し、断面略三角状に形成されたスチール等の金属製の形材である。下補強材３４の傾斜面３４ａが開口部１４ａの底面となり、投入口２０ａから投入された物品の滑り台となる。これら上補強材３２、下補強材３４及び縦補強材３６は、パネル材２６，２７に対してねじ３９等によって固定される。
【００２４】
開口部１４ａの室外側には投入口部材２０が取り付けられ、室内側にはカバー材３７が取り付けられている。カバー材３７は、室内側のパネル材２７の外面に対し、後述する可動カバー材４０を避けた位置でねじ３９によって固定されている。カバー材３７には、開口部１４ａと対応する孔部３７ａが開口形成されている。
【００２５】
投入口部材２０は、開口部１４ａの室外側の開口（パネル材２６の孔部２６ａ）よりも大きな寸法で形成されたスチール等の金属製の板材である。投入口部材２０は、室外側のパネル材２６の外面に取り付けられている。投入口部材２０の中央には、横長長方形状の投入口２０ａが開口形成されている。
【００２６】
投入口部材２０では、投入口２０ａの内面上部に軸受部３８が突設されている。軸受部３８には、水平方向の支持軸３８ａが設けられている。蓋体２２は、支持軸３８ａに回転可能に支持されることにより投入口２０ａを内側から開閉する内開きの扉となる。蓋体２２は、軸受部３８に設けられたばね部材３８ｂにより常時投入口２０ａを閉塞する方向に付勢されており、投入口２０ａから物品を投入する際に押圧されると退避し、投入口２０ａを開放する（図３中に２点鎖線で示す蓋体２２参照）。図３及び図５に示すように、蓋体２２は、室外側に突出した面形状を有し、投入口２０ａを閉塞した状態で投入口部材２０と略面一の外面を形成する。
【００２７】
受け箱２４は、前面が開口した箱体であり、室内側のパネル材２７の外面にねじ止めされている。受け箱２４は、投入口２０ａから投入された郵便物等の物品を受け入れるための箱であり、図示しない取出口から内部に投入された物品を取り出すことができる。
【００２８】
図３及び図４に示すように、投入口装置１０は、スチール等の金属で形成され、開口部１４ａに対して進出可能な可動カバー材４０を備える。可動カバー材４０は、図３に示す常温時（通常時）にはドアパネル１４の内部に大部分が収容されて開口部１４ａでの物品の通過を許容する一方、図４に示す高温時（加熱時）にはドアパネル１４の内部から開口部１４ａへと進出して該開口部１４ａを閉塞する。
【００２９】
図３〜図７に示すように、可動カバー材４０は、室内側のパネル材２７の内面に沿って配置されるプレート部４０ａと、プレート部４０ａの下端両側部から室外側に向かって斜め上方に突出した一対の連結部４０ｂ，４０ｂと、各連結部４０ｂの先端から上方へと屈曲されて室外側のパネル材２６の内面に沿って配置される一対の支持部４０ｃ，４０ｃとを有する。
【００３０】
プレート部４０ａは、開口部１４ａの室内側の開口（パネル材２７の孔部２７ａ）を閉塞可能な寸法を有する金属板である。プレート部４０ａの前面（室外側面）には、熱膨張性部材４２が設けられている。熱膨張性部材４２は、加熱されると膨張する材料、例えば発泡性黒鉛を主成分とした加熱発泡材である。各連結部４０ｂは、下補強材３４の傾斜面３４ａと平行な傾斜面を有する帯状の金属板である。一対の支持部４０ｃ，４０ｃは、投入口２０ａ及び蓋体２２を跨ぐように配置された帯状の金属板である（図５参照）。
【００３１】
図３に示す常温時、可動カバー材４０は、その大部分が開口部１４ａの上方位置でドアパネル１４の内部に収容されている。すなわち、可動カバー材４０は、プレート部４０ａがパネル材２７の内面に接着剤４４によって接着固定され、支持部４０ｃがパネル材２６の内面に接着剤４４によって接着固定されている。これにより、可動カバー材４０は、開口部１４ａから上方に退避しているため、開口部１４ａでの物品の通過を許容している。この状態では、プレート部４０ａの下部及び連結部４０ｂは開口部１４ａ内に配置されているが、これらは蓋体２２の回転範囲に隠れる位置にあり、開口部１４ａでの物品の通過を邪魔しない位置にある。
【００３２】
接着剤４４は、プレート部４０ａ及び支持部４０ｃのそれぞれの外面全体に塗布されてもよく、部分的に塗布されてもよい。接着剤４４は、建具１２の通常の使用状態では軟化せず、火災等による異常な温度上昇時（例えば１００℃以上）にのみ軟化する性状を有するものがよく、例えばウレタン樹脂系の接着剤を用いるとよい。接着剤４４と上記接着剤３０とに同一のものを用いてもよい。
【００３３】
例えば室外側からの火災の火炎によって建具１２が加熱された場合、可動カバー材４０は、接着剤４４が軟化することで開口部１４ａへと落下する。これにより、図４に示す高温時、可動カバー材４０は、連結部４０ｂが下補強材３４の傾斜面３４ａ上に着地して、プレート部４０ａが開口部１４ａを室内側で閉塞するため、開口部１４ａが火炎の貫通孔となることを防止する。
【００３４】
以上のように、本実施形態に係る投入口装置１０は、ドアパネル１４に貫通形成された開口部１４ａを覆うように取り付けられ、且つ開口部１４ａに連通する位置に投入口２０ａを有する投入口部材２０と、投入口部材２０の投入口２０ａを開閉する蓋体２２とを備え、蓋体２２が開いた場合に投入口２０ａを介してドアパネル１４の一面側（室外側）から他面側（室内側）への物品の投入を許容する装置である。この投入口装置１０は、ドアパネル１４の開口部１４ａに対して進出可能となる状態で該ドアパネル１４に配設され、常温時には開口部１４ａから退避した位置に維持される一方、高温状態となった場合には進出移動して開口部１４ａを閉塞する可動カバー材４０を備える。
【００３５】
このように、投入口装置１０では、火災等によって建具１２が加熱されて高温状態となった場合に、可動カバー材４０が開口部１４ａに進出してこれを閉塞する。従って、加熱によってばね部材３８ｂの付勢力が弱くなり火炎等による圧力で蓋体２２が開いてしまった場合であっても、開口部１４ａが可動カバー材４０によって確実に閉塞される。このため、投入口装置１０が火災時に火炎の貫通孔となることを防止できる。
【００３６】
特に、本実施形態に係る投入口装置１０が設けられるドアパネル１４は、２枚のパネル材２６，２７の間に接着剤３０を用いて芯材２８を接着固定した構造を有する。このため、火災時に加熱されて接着剤３０が気化した場合には可燃性ガスが発生し、この可燃性ガスが室内側に流入する事態が懸念される。この点、投入口装置１０では、開口部１４ａが可動カバー材４０によって確実に閉塞されるため、可燃性ガスの室内側への流入を阻止することができ、火元と可燃性ガスとを離隔しておくことができる。
【００３７】
投入口装置１０では、可動カバー材４０のプレート部４０ａの内面に、加熱されると膨張して開口部１４ａを塞ぐ熱膨張性部材４２を設けている。これにより、建具１２が火災等で加熱された際、可動カバー材４０が開口部１４ａを閉塞し、その後、熱膨張性部材４２が膨張して開口部１４ａに充填されてこれを塞ぐため、火炎の貫通を一層確実に防止できる。
【００３８】
可動カバー材４０は、常温時には開口部１４ａの上方位置でドアパネル１４に対して接着剤４４を用いて固定されており、高温時には接着剤４４が軟化することで落下して開口部１４ａを閉塞する。これにより、低コストで簡素な構成ながらも可動カバー材４０を常温時には退避位置に確実に保持しておき、火災時には進出位置へと円滑に動作させることが可能となる。接着剤４４に代えて、火災時の温度上昇によって切断される温度ヒューズ等によって可動カバー材４０を開口部１４ａの上方位置に吊下げ支持しておいてもよい。
【００３９】
可動カバー材４０は、室内側のパネル材２７の内面に沿って設けられ、落下した場合にドアパネル１４の室内側で開口部１４ａを閉塞するプレート部４０ａを有する。これにより、接着剤３０が気化して開口部１４ａ内に充満した可燃性ガスが室内側へと流入することを防止できる。また、プレート部４０ａの室外側の面に熱膨張性部材４２を設けておくことにより、膨張した熱膨張性部材４２を開口部１４ａ内に円滑に充填することができる。
【００４０】
可動カバー材４０は、プレート部４０ａと反対側となる室外側のパネル材２６の内面に沿って設けられる支持部４０ｃを有する。これにより、プレート部４０ａと反対側位置が支持部４０ｃによって支えられるため、退避位置（図３参照）或いは進出位置（図４参照）にあるプレート部４０ａががたつきを生じることを防止できる。また、支持部４０ｃにより加熱時の可動カバー材４０の円滑な落下を案内することができる。
【００４１】
なお、本発明は、上記した実施形態に限定されるものではなく、本発明の主旨を逸脱しない範囲で自由に変更できることは勿論である。
【符号の説明】
【００４２】
１０  投入口装置、１２  建具、１４  ドアパネル、１４ａ  開口部、２０  投入口部材、２０ａ  投入口、２２  蓋体、２４  受け箱、２６，２７  パネル材、２６ａ，２７ａ，３７ａ  孔部、２８  芯材、３０，４４  接着剤、３２  上補強材、３４  下補強材、３４ａ  傾斜面、３６  縦補強材、４０  可動カバー材、４０ａ  プレート部、４０ｂ  連結部、４０ｃ  支持部、４２  熱膨張性部材
【図１】
2015217173.tif 000003
【図２】
2015217173.tif 000004
【図３】
2015217173.tif 000005
【図４】
2015217173.tif 000006
【図５】
2015217173.tif 000007
【図６】
2015217173.tif 000008
【図７】
2015217173.tif 000009